(57)【要約】      （修正有）【課題】基本断面から、その後部周囲部分を通過して出射する光線を前方に再誘導する灯火または表示装置を提供する。【解決手段】前部周囲照明部分２２と、後部光拡散セグメント２６を含む後部周囲部分２４とを含む円形の基本断面１６が誘導線１８に沿って移動することによって生成される線形の光ガイドと、１つの端部１４を介して、光ガイドに入射する光線を発する光源とを備え、光線が、連続的に全体として反射されることによって、光ガイド内を伝播し、かつ後部拡散セグメント２６に達する光線が、長さの外側に後部に向かっておよび前部照明部分によって屈折されるように、前部に向かって拡散される種類のものであり、後部周囲部分２４を通過して出射する光線Ｒｄを、前方に向かって再誘導する少なくとも１つの反射板３２を備えている。【選択図】図５
2004235153.tif 000002
【特許請求の範囲】
【請求項１】
自動車用の灯火または表示装置であって、
光ガイド（１０）であって、その少なくとも一部が、ほぼ円形で垂直な基本横断面（１６）が誘導線（１８）に沿って移動することによって生成され、前記基本断面（１６）の輪郭（２０）が、前部周囲照明部分（２２）と、後部光拡散セグメント（２６）を含む後部周囲部分（２４）とを含み、前記基本断面（１６）が、前記拡散セグメント（２６）から前記前部周囲部分（２２）まで、後部から前部に延長する横方向（Ｔ）を有する主光軸（２８）を含む光ガイド（１０）と、
前記光ガイド（１０）によって導かれるように、少なくとも１つの端面（１４）を介して、光ガイド（１０）に入射する光線（Ｒｃ）を発する光源（３０）とを備え、
前記導かれた光線（Ｒｃ）が、概ね前記誘導線（１８）の方向に連続的に全体として反射されることによって前記光ガイド（１０）内を伝播し、かつ前記後部拡散セグメント（２６）に達する前記導かれた光線（Ｒｃ）が拡散されて長さの外側へ出射する、後部に向かって拡散された光線（Ｒｄ）と、前記主光軸（２８）の所与の立体角中に含まれる、ガイド（１０）の内側に向かって拡散された光線（Ｒｅ）とが、長さの前記前部照明部分によって屈折されるようになっており、
さらに、前記基本断面（１６）から、その後部周囲部分（２４）を通過して出射する光線（Ｒｄ、Ｒｄ’、Ｒｅ’、Ｒｅ”）を前方に再誘導する少なくとも１つの反射板（３２、３８、４０、４４）を備え、前記主光軸（２８）に沿う前記後部拡散セグメント（２６）に対向して位置し、かつ後部に向かって拡散された前記光線（Ｒｄ）を、それらが前記前部周囲部分（２２）によって屈折されるように、前記基本断面（１６）の内側に向かって反射する後部反射板（３２）を備えることを特徴とする装置。
【請求項２】
前記誘導線（１８）に直交する平面において、前記後部反射板（３２）が、それが反射する、前記後部光拡散セグメント（２６）によって発せられた光線（Ｒｒ）が、前記前部周囲部分（２２）から実質的に前記主光軸（２８）に平行に出射するような形状を有することを特徴とする、請求項１記載の装置。
【請求項３】
前記後部反射板（３２）が、後部に向かって拡散された前記光線（Ｒｄ）を収束様態で前記後部拡散セグメント（２６）に向かって反射することを特徴とする、請求項１または２に記載の装置。
【請求項４】
前記後部反射板（３２）が、中心が前記後部拡散セグメント（２６）上に大域的に配置される円弧形状の垂直な基本断面を有することを特徴とする、請求項３記載の装置。
【請求項５】
前記後部反射板（３２）が、前記後部拡散セグメント（２６）の外部表面を被覆する反射材料の層から構成されていることを特徴とする、請求項３記載の装置。
【請求項６】
前記前部周囲部分（２２）が、物体焦点がほぼ前記後部拡散セグメント（２６）上に配置される収束レンズを形成していることを特徴とする、請求項３〜５のいずれか１項と組み合わされた請求項２に記載の装置。
【請求項７】
前記基本断面（１６）の後部周囲部分（２４）が、頂部側方光拡散セグメント（３４）を含み、このセグメントが、前記光ガイド（１０）の基本断面（１６）内を前記頂部側方拡散セグメント（３４）から下方に延長する第２光軸（３６）を画定し、かつ前記導かれた光線（Ｒｃ）を長さの内側へ、下方におよび長さの外側へ上方に拡散し、
さらに、前記光学システムが、前記頂部側方セグメント（３４）によって上方に拡散された前記光線（Ｒｄ’）をほぼ前方に反射するように、前記第２光軸（３６）に沿う前記頂部側方拡散セグメント（３４）に対向して、前記基本断面（１６）の上方に位置する頂部側方反射器（３８）を備えていることを特徴とする、請求項１〜６のいずれかに記載の装置。
【請求項８】
前記第２光軸（３６）が、実質的に垂直であり、かつ前記主光軸（２８）と直交していることを特徴とする、前記請求項７に記載の装置。
【請求項９】
前記頂部側方反射器（３８）が、上方に拡散された前記光線（Ｒｄ’）を、前記主光軸（２８）に対して実質的に平行な方向に前方へ反射するように、物体焦点が前記頂部側方拡散セグメント（３４）上に配置されている放物線形状を有することを特徴とする、請求項７または８のいずれかに記載の装置。
【請求項１０】
前記第２光軸（３６）とイン・ラインに前記基本断面（１６）の下方に位置し、かつ前記側方拡散セグメント（３４）によって下方に拡散され、かつ前記後部周囲部分（２４）によって屈折される前記光線（Ｒｅ’）を、前方におよび前記主光軸（２８）に平行に反射する下部側方反射板（４０）を備えていることを特徴とする、請求項７〜９のいずれかに記載の装置。
【請求項１１】
前記後部周囲部分（２４）が、下方に拡散された前記光線（Ｒｅ’）が前記第２光軸（３６）に平行に出射するように、像焦点が実質的に前記頂部側方拡散セグメント（３４）に対応するレンズの形態にある下部分を備えていることを特徴とする、請求項１０記載の装置。
【請求項１２】
前記基本断面（１６）の後部周囲部分（２４）が、第１の頂部側方拡散セグメント（３４）と第２の下部側方拡散セグメント（４２）を有し、これらのセグメントが、前記第１の頂部側方拡散セグメント（３４）から前記第２の下部側方拡散セグメント（４２）まで、ほぼ垂直の様態で延長する第２光軸（３６）を画定し、
前記第１（３４）および第２（４２）の側方拡散セグメントの外部表面には、光線が前記側方拡散セグメント（３４、４２）によって、概ね前記第２光軸（３６）方向に前記基本断面（１６）の内側に向かって拡散されるように、反射材料が被覆され、
前記側方拡散セグメント（３４、４２）のそれぞれに対向する前記周囲部分（２４）の一部は、前記光線（Ｒｅ’、Ｒｅ”）が前記光ガイド（１０）から前記第２光軸（３６）に平行に出射するように、物体焦点が対向する前記側方拡散セグメント（３４、４２）に実質的に対応するレンズの形態にあり
さらに、前記側方セグメント（３４、４２）に対向して前記基本断面（１６）の上方および下方にそれぞれ位置し、かつ前記出射する光線（Ｒｅ’、Ｒｅ”）をほぼ前部に向かって反射する２つの側方反射板（４０、４４）を備えていることを特徴とする、請求項１〜６のいずれかに記載の装置。
【発明の詳細な説明】
【技術分野】
【０００１】
本発明は、例えば自動車用の、光ガイドと光源を備える灯火または表示装置に関する。
【０００２】
また本発明は、線形の光ガイドであって、その少なくとも一部の長さが、前部周囲照明部分と、後部光拡散セグメントを含む後部周囲部分とを備えるほぼ円形で垂直な基本横断面が誘導線に沿って移動することによって生成される光ガイドと、
光ガイドによって導かれるように、少なくとも１つの端面を介して光ガイドに入射する光線を発する光源とを備える、例えば、自動車用の灯火または表示装置に関する。
【背景技術】
【０００３】
幾つかの自動車用の灯火または表示機能を、同じハウジング中にまとめて、これらの様々な機能のための電気配線を簡素化しようとするのが通常である。
【０００４】
それぞれの機能には、光源、反射板、おそらくはガラスを備え、これらの様々な要素は、幾何学的および測光学的特徴が様々な規制基準を遵守しなければならない灯火または表示光線を発するように配置されている。したがって、それぞれの機能には、個々の灯火または表示装置を装備するための最小限の容積が必要である。
【０００５】
しかし、灯火または表示装置を装備するために利用可能な容積は、自動車の前部と後部両方で次第に小さくなってきている。これは、空気力学的な制約とデザイナの設計上の理由で、技術的な考慮のみに由来する形状とは非常に異なるものとなるからである。
【０００６】
したがって、多くの場合、機能を同じハウジング内に１つにまとめるために利用可能な空間が不十分であり、その場合に様々な機能を異なるハウジング内に分散させることが必要になり、よってコストが上昇し、かつ配線および組立時間が増加する。
【０００７】
この問題を解決するために、光ガイドの利用法が知られている。例えば、欧州特許出願公開第２４３４６７号明細書から、楕円形モジュールを備える前照灯が知られている。環状の光ガイドが、楕円形モジュールのレンズを取り囲み、光ガイドから前方に発する光線を誘導するための円筒形反射板、および管状反射板と協働して光を分断する表面を備えている。このような構成の目的は、楕円モジュールの見かけ上の表面を増大することにある。
【０００８】
欧州特許出願公開第０３６９７９号明細書から、その背面上にマイクロ・エッチングの線を施した光ガイドも知られており、反射板が、この光ガイドの後方に配置され、マイクロ・エッチングの線が実質的に反射板の焦点に配置されている。この種類の光ガイドは、光放射表面を形成するために、並列配置した他の同一の光ガイドと連係させようとするものである。
【０００９】
従来技術によって作製された別の光ガイドが、図１から図３に示してある。
【００１０】
光ガイド１０が、ここでは２つの端部１２および１４を備えている。この光ガイド１０は、特にその端部１２または１４を介して、入射する光線を導こうとするものである。
【００１１】
光ガイド１０は、ほぼ円形の基本横断面１６が誘導線１８に沿って移動することによって実現する。誘導線１８が、ここでは、基本断面１６の実質的な中心に位置し、かつ基本断面１６が誘導線１８に直交する。
【００１２】
誘導線１８の形状は、当業者によって、特に美的条件にしたがって自由に画定される。図１に示すように、誘導線１８がここではループの形状にある。
【００１３】
以下の説明では、長手方向、垂直方向、または横方向の配向を非限定的に採用するが、それを図２および図５の３面体Ｌ、Ｖ、Ｔによって示し、かつ光ガイド１０のすべての基本断面１６に局部的に適用する。したがって、長手方向Ｌは、光ガイド１０の全体的な形状に関係なく、それぞれの基本断面１６に対して常に直交する。したがって、画定される垂直方向Ｖは、誘導線１８の形状にしたがって、例えば、自動車に関する基準フレームに対して変化し得る。
【００１４】
規定に従って、横方向Ｔは、図２および図５から図９の右側の後部から、図２および５から９の左側の前部に向かって配向されている。図１、図３、および図４に示す例では、横方向Ｔが、自動車に関する基準フレームに対して固定され、図１、図３、および図４の矢印Ｔによって示してある。
【００１５】
図２に示すように、基本断面１６の輪郭２０は、前部周囲照明部分２２と後部周囲部分２４を有する。
【００１６】
後部周囲部分２４は、光を拡散するための後部セグメント２６を有する。後部セグメント２６の長さは、基本断面１６の直径に比べて短いので、以下の説明では、後部セグメント２６を点と見なす。主光軸２８は、後部拡散セグメント２６から、前部照明部分２２まで横方向に延長する。
【００１７】
図３に示すように、すべての後部拡散セグメント２６は、光ガイド１０の少なくとも一定の長さにわたって、誘導線１８と平行に延長する後部光拡散線を生成する。
【００１８】
光線は、端部１２または１４の少なくとも１つを介して、光ガイド１０に入射する。光線は、ここでは、端部１４に向き合って位置する光源、例えば、「ＬＥＤ」とも呼ばれる発光ダイオード３０から発せられる。
【００１９】
光を導くために、光ガイド１０は、ガラスまたはプラスチックなどの透明材料から形成されるが、それは、光ガイド１０が内在する媒体、特に、空気よりも大きな屈折率を有する。
【００２０】
図３に示すように、光ガイド１０の端部１４を介して入射する光線Ｒｃは、空気と光ガイド１０の間の屈折率の差により、基本断面１６の輪郭２０上で連続的に全体として反射することによって、概ね誘導線１８の方向に光ガイド１０内側へ導かれる。
【００２１】
このように、導かれた光線Ｒｃが後部拡散セグメント２６に達すると、これらの光線がすべての方向に、特に、後部に向かって拡散され、次いで、このように拡散された光線Ｒｄは、光ガイド１０の外側に出射し、かつ光ガイド１０の内側前部に向かって拡散される。
【００２２】
前部に向かって拡散された、主光軸２８回りの所与の立体角の中に含まれる光線Ｒｅは、屈折され、かつこのように光ガイド１０の外側に出射するような入射角で、光ガイド１０の前部照明部分２２に達する。
【００２３】
したがって、前部照明部分２２は、自動車に必要な灯火、またはシグナル機能を果たす。
【００２４】
この種類の光ガイド１０によって、車両のスタイルおよびサイズの条件に見合う灯火またはシグナル機能を果たすことができる。
【００２５】
しかし、図３の光線Ｒｄによって示すように、光の無視できない部分が、光ガイド１０の後部に向かって拡散されている。したがって、光ガイド１０によって前部に向かって投射された光は、光ガイド１０の端面１４を介して入射する光の強度に比べて、最適な強さを有するものではない。
【特許文献１】欧州特許出願公開第２４３４６７号明細書
【特許文献２】欧州特許出願公開第０３６９７９号明細書
【発明の開示】
【発明が解決しようとする課題】
【００２６】
これらの問題を解決するために、本発明は、基本断面から、その後部周囲部分を通過して出射する光線を前方に再誘導する、少なくとも１つの反射板を備えていることを特徴とする、先に説明した種類の灯火または表示装置を提供するものである。
【課題を解決するための手段】
【００２７】
本発明の他の特徴によれば、
本装置は、主光軸に沿った後部拡散セグメントに対向して位置し、かつ後部に向かって拡散された光線を、それらが前部周囲部分によって屈折されるように、基本断面の内側に向かって反射する後部反射板を備え、
誘導線に直交する平面において、後部反射板は、それが反射する光を拡散するための後部セグメントによって発せられる光線が、主光軸に実質的に平行に前部周囲部分から出射するように基本断面によって屈折されるような形状を有し、
後部反射板は、後部に向かって拡散された光線を収束様態で後部拡散セグメントに向かって反射し、
後部反射板は、中心がほぼ後部拡散セグメント上に配置される円弧の形状にある垂直な基本横断面を有し、
後部反射板は、後部拡散セグメントの外部表面を被覆する反射材料の層から構成され、
前部周囲部分は、物体焦点がほぼ後部拡散セグメント上に配置される収束レンズを形成し、
基本断面の後部周囲部分は光を拡散するための頂部側方セグメントを備え、このセグメントが、光ガイドの基本断面内を頂部側方拡散セグメントから下方に延長する第２光軸を画定し、かつ導かれた光線を長さの内側へ下方におよび長さの外側へ上方に拡散し、
またこの本光学システムは、頂部側方セグメントによって、上方に拡散された光線をほぼ前方に反射するように、第２光軸に沿った頂部側方拡散セグメントに対向して基本断面の上方に位置する頂部側方反射器を備え、
第２光軸は、実質的に垂直でありかつ主光軸に対して直交し、
頂部側方反射器は、上方に拡散された光線を主光軸に実質的に平行な方向に前方へ反射するように、物体焦点が頂部側方拡散セグメントに沿って配置されている放物線形状を有し、
本装置は、第２光軸とイン・ラインに基本断面の下方に位置し、かつ側方拡散セグメントによって下方に拡散されかつ後部周囲部分によって屈折される光線を前方におよび主光軸に平行に反射する下部側方反射板を備え、
後部周囲部分は、下方に拡散された光線が第２光軸に平行に出射するように、像焦点が実質的に頂部側方拡散セグメントに対応するレンズの形態にある下部分を備え、
基本断面の後部周囲部分は、第１の頂部側方拡散セグメントと第２の下部側方拡散セグメントを有し、これらのセグメントが、第１の頂部側方拡散セグメントから第２の下部側方拡散セグメントまでほぼ垂直の様態で延長する第２光軸を画定し、第１および第２の側方拡散セグメントの外部表面には、光線が側方拡散セグメントによって概ね第２光軸方向に基本断面の内側に向かって拡散されるように、反射材料が被覆され、側方拡散セグメントのそれぞれに対向する周囲部分の一部は、光線が光ガイドから第２光軸に平行に出射するように、物体焦点が対向する側方拡散セグメントに実質的に対応するレンズの形態を有し、さらに本装置は、側方セグメントに対向して基本断面の上方および下方にそれぞれ位置し、かつ出射する前記光線をほぼ前部に向かって反射する２つの側方反射板を備えている。
【００２８】
本発明の他の特徴および利点は、添付の図面を参照して行う以下の詳細な説明を読むと明らかになると思う。
【発明を実施するための最良の形態】
【００２９】
図４は、本発明にしたがって作製された灯火または表示装置を示す。この装置は、本明細書の冒頭で説明した光ガイド１０と後部反射板３２を備えている。
【００３０】
灯火または表示装置の容積は、本装置の垂直な基本横断面が誘導線１８に沿って移動することによって生成されるが、以下の説明では、灯火または表示装置の垂直な基本断面のみについて説明する。
【００３１】
図５は、図１の光ガイド１０の垂直な基本断面１６を示す。
【００３２】
基本断面１６の輪郭２０は、前部周囲部分２２と後部周囲部分２４を含む。部分２２は、自動車に必要な灯火または表示機能を果たす。
【００３３】
後部周囲部分は、後部光拡散セグメント２６を含み、そのセグメントから光軸２８が横方向に前方へ延びている。主光軸２８は、基本断面１６をほぼ対称的な上部と下部に分割する。
【００３４】
本発明によれば、後部反射板３２が、光軸２８に沿う後部拡散セグメント２６に対向して、基本断面１６の背後に位置している。
【００３５】
灯火または表示装置が機能している間に、後部拡散セグメント２６に達する、光ガイド１０内に導かれた光線は、灯火装置の背後に向かって拡散される。図５の符号Ｒｄは、セグメント２６の背後に向かって拡散された光線を示す。
【００３６】
この拡散光線Ｒｄは、後部反射板３２の反射表面に達するが、この反射表面は、反射光線Ｒｒを、光ガイド１０の後部周囲部分２４の方向にほぼ前部に向かって反射する。
【００３７】
この反射光線Ｒｒは、後部周囲部分２４を通過して基本断面１６の内側に入射するときに、まず屈折され、次いで、前部周囲照明部分２２を通過して、基本断面１６から出射するときに、再び屈折される。符号Ｒｅは、前部周囲照明部分２２から出射する光線を示す。
【００３８】
限定ではないが、後部反射板３２の形状は、出射光線Ｒｅが主光軸２８に実質的に平行であるように、当業者によって設計されている。当業者は、光線Ｒｅが主光軸２８回りに必要なだけ分散して出射するように、後部反射板３２の形状を自由に採用しうる。
【００３９】
図６に示す第２実施例によれば、基本断面１６の前部照明部分２２は、収束レンズの形状をしている。
【００４０】
従来通り、収束レンズ２２の焦点軸は、主光軸２８と実質的に同一化され、その物体焦点は、実質的に後部拡散セグメント２６に配置されている。ここでは、後部拡散セグメント２６によって前部に向かって前部周囲照明部分２２まで拡散された光線が、主光軸２８とほぼ平行に基本断面１６から出射するように屈折される。
【００４１】
本発明によれば、後部反射板３２は、光心が実質的に後部拡散セグメント２６上に配置されているほぼ円弧状の断面を有する。
【００４２】
したがって、後部拡散セグメント２６によって背後に向かって拡散された光線Ｒｄは、後部反射板３２に達し、次いで、後部反射板３２によって反射された光線Ｒｒの一部が、前部照明部分２２を通過して前方に再拡散されるように、光心、すなわち、後部拡散セグメント２６に向かって反射される。よって、この出射光線Ｒｅは、主光軸２８とほぼ平行である。
【００４３】
これらの出射光線Ｒｅを、必要な角度に配向して主光軸２８回りに散乱させるように、前部周囲照明部分２２の形状は、当業者によって自由に設計される。
【００４４】
図示しないが、変形例として、後部反射板３２を光拡散セグメント２６の外部面に被覆した反射材料の層によって形成することもある。したがって、この灯火装置は、図６に示した第２実施形態と同様の様態で機能する。使用される反射材料には、例えば、アルミニウムがある。
【００４５】
図７に示す本発明の第３実施形態によれば、光ガイド１０の基本断面１６は、第２側方光拡散セグメント３４を有している。
【００４６】
限定はしないが、図７では、このセグメント３４は、後部周囲部分２４の頂部上に位置している。したがって、以下の説明では、それを頂部側方セグメント３４と呼ぶ。
【００４７】
このような頂部拡散セグメント３４は、頂部拡散セグメント３４から基本断面１６を通過して、実質的に上から下に延びる第２光軸３６を画定する。ここでは、この第２光軸３６が、基本断面１６を実質的に対称的な２つの部分に分割する。
【００４８】
第２光軸３６は、図７に示すように、実質的に垂直であり、主光軸２８と直交していると有利である。
【００４９】
灯火装置は、頂部側方セグメント３４に関連する頂部側方反射器３８を備えている。この頂部側方反射器３８は、第２光軸３６に沿う頂部セグメント３４に対向して、基本断面１６の上方に位置する。
【００５０】
頂部光拡散セグメント３４は、導かれた光線に対して、後部光拡散セグメント２６と同様の効果を有する。
【００５１】
したがって、導かれた光線が頂部側方セグメント３４に達すると、それらは、特に、基本断面１６の外側上方および基本断面１６の内側下方に拡散される。
【００５２】
頂部反射板３８は、物体焦点が実質的に頂部側方光拡散セグメント３４上に配置されている放物線の弧の形状を有する。頂部反射板３８は、この反射板３８の方向に上方に拡散された光線Ｒｄ’が、頂部反射板３８によって主光軸２８に実質的に平行の方向に反射されるように配向されている。
【００５３】
この第３実施形態は、最初の２つの実施形態、またはその変形のいずれか１つ、例えば、図７に示したように、第１実施形態と組み合わせることが可能である。
【００５４】
図示しないが、図７に示した組合せの変形によれば、後部反射板３２と頂部反射板３８は、一体型で作製されている。
【００５５】
図８に示す本発明の第４実施形態によれば、先の実施形態にしたがって作製された灯火装置が、第２光軸３６と実質的に対向して、基本断面１６の下方に位置する下部側方反射板４０を備えている。
【００５６】
この下部側方反射板４０は、頂部セグメント３４によって下方に拡散され、次いで、基本断面１６の後部周囲部分２４の下部分を通過することによって屈折される光線Ｒｅ’を、実質的に前部に向かって反射させようとするものである。
【００５７】
図８に示した実施例によると、下方に拡散された光線を屈折する後部周囲部分２４のこの部分は、物体焦点が実質的に頂部拡散セグメント３４に配置されている収束レンズの形態である。
【００５８】
したがって、頂部セグメント３４によって下方に拡散された光線Ｒｅ’は、第２光軸３６に実質的に平行に出射するように、後部周囲部分によって屈折される。
【００５９】
ここでは、下部側方反射板４０は、焦点が後部周囲部分２４の下部分によって形成されたレンズ中の頂部セグメント３４の像と同一化される全体的に放物線形状を有し、かつこの反射板は、下方に屈折された光線が主光軸２８と実質的に平行に前方に反射されるように配向されている。
【００６０】
図示していない本発明の変形によれば、頂部反射板３８、下部反射板４０、および後部反射板３２は、一体型で作製される。
【００６１】
図示しないが、第３および第４実施形態の変形によれば、側方拡散セグメント３４は、後部周囲部分２４の下部分上に位置している。このような側方拡散セグメント３４の位置の逆転は、灯火または表示装置の機能全体を変更するものではない。したがって、先の説明は、主光軸に対して対称的であることを除けば、このような変形にも適用可能である。
【００６２】
図９に示してある、最初の２つの実施形態、およびそれらの変形と組合せ可能な第５実施形態によれば、基本断面１６は、頂部拡散セグメント３４と下部拡散セグメント４２を有している。
【００６３】
下部光拡散セグメント４２は、後部周囲部分２４の外部面上の、先に説明した、すなわち、基本断面１６に対して、垂直かつ直径方向の第２光軸３６との交点に位置する。したがって、頂部セグメント３４と下部セグメント４２は相互に向き合う。
【００６４】
これらの側方セグメント３４および４２のそれぞれには、反射材料、例えば、アルミニウムが被覆されている。したがって、光は、もっぱら基本断面１６の内側に向かって、すなわち、頂部セグメント３４によって、下向きにかつ下部セグメント４２によって上向きに拡散される
【００６５】
この灯火装置はまた、下部４０および頂部４４の２つの側方反射板を備えている。これらは、２つの側方セグメント３４および４２によって基本断面１６の内部に向かって拡散され、次いで、基本断面１６の後部周囲部分によって屈折された光線Ｒｅ’およびＲｅ”を、それぞれ前方に反射しようとするものである。
【００６６】
図９に示す例では、後部拡散セグメント２６は、例えばアルミニウムなどの反射材料で被覆されている。
【００６７】
ここでは、後部周囲部分２４の頂部および下部の一部が、セグメント３４および４２によって、光を第２光軸３６と実質的に平行に拡散するように収束レンズの形態を有する。
【００６８】
側方反射板４０および４４は、焦点が後部周囲部分２４の頂部分と下部分からそれぞれ構成されているレンズ中の頂部３４と下部４２のセグメントの像と、それぞれに同一化されるほぼ放物線形状を有し、かつこれらの反射板は、後部周囲部分２４によって屈折された光線を、前方におよび主光軸２８に実質的に平行に反射するように配向されている。
【００６９】
図示しないが、本発明の別の実施形態によれば、後部セグメント２６によって後部に向かって拡散された光線を、最初の２つの実施形態にしたがって反射する。その場合、頂部反射板４４、下部反射板４０、および後部反射板３２を一体型に作製する。
【００７０】
図示しないが、第５実施形態の変形によれば、光ガイド１０は、唯一の側方拡散セグメント３４または４２と、単一のそれぞれに関連する反射板４０または４４を備えている。
【００７１】
したがって、本発明は、第１に、後部拡散セグメント２６に見られるように、まず光源の輝度を増大することによって、またはセグメント４２および３４によって見かけ上の表面を増大することによって、灯火装置から前部に向かって発せられる光の強度を増大させるものである。
【００７２】
図示しないが、それぞれの実施形態の変形によれば、拡散セグメント２６、３４、および４２、ならびにそれに関連する反射板を、唯一のまたは幾つかの光ガイド部分１０上に作製することができる。
【図面の簡単な説明】
【００７３】
【図１】従来の設計にしたがって作製された光ガイドを示す斜視図である。
【図２】図１の切断面２−２に沿う、光ガイドの垂直な基本断面図である。
【図３】図１の矢印３で指す、光ガイドの一部を示す拡大図である。
【図４】本発明にしたがって作製された、主として図１の光ガイドと反射板を備える灯火または表示装置を示す斜視図である。
【図５】図４の切断平面５−５に沿う、光線の経路を、連続線によって示す断面図である。
【図６】図５と同様の、灯火または表示装置の第２実施形態を示す図である。
【図７】図５と同様の、灯火または表示装置の第３実施形態を示す図である。
【図８】図５と同様の、灯火または表示装置の第４実施形態を示す図である。
【図９】図５と同様の、灯火または表示装置の第５実施形態を示す図である。
【符号の説明】
【００７４】
１０  光ガイド
１２、１４  光ガイドの端面
１６  基本断面
１８  誘導線
２０  基本断面の輪郭
２２  前部周囲照明部分
２４  後部周囲部分
２６  後部光拡散セグメント
２８  主光軸
３０  光源
３２  後部反射板
３４  頂部側方拡散セグメント
３６  第２光軸
３８、４４  頂部側方反射器
４０  下部側方反射板
４２  下部光拡散セグメント
Ｒｃ  入射光線
Ｒｄ、Ｒｄ’、Ｒｅ’、Ｒｅ”  拡散光線
Ｒｅ  出射光線
Ｒｒ  反射光線
【図１】
2004235153.tif 000003
【図２】
2004235153.tif 000004
【図３】
2004235153.tif 000005
【図４】
2004235153.tif 000006
【図５】
2004235153.tif 000007
【図６】
2004235153.tif 000008
【図７】
2004235153.tif 000009
【図８】
2004235153.tif 000010
【図９】
2004235153.tif 000011